(57)【要約】      （修正有）【課題】路面発電コンポーネントの加熱制御装置を提供する。【解決手段】加熱制御装置は、路面発電コンポーネント４に設けられる加熱装置１と、路面発電コンポーネント４に設けられ、環境温度を検知する温度センサー２と、加熱装置１、温度センサー２にそれぞれ電気的に接続され、温度センサー２により検知された環境温度に応じて、加熱装置１の路面発電コンポーネント４に対する加熱を制御する制御手段３と、を備える。本願に提供される路面発電コンポーネントの加熱制御装置は、温度センサーを設けて環境温度を検知し、制御手段を設けることによって、環境温度に応じて、加熱装置の路面発電コンポーネントに対する加熱を制御する。これによって、即時・効果的に路面発電コンポーネントにおける氷雪を融解させ、路面発電コンポーネントの光吸収率を保証し、さらに発電効率を保証する。【選択図】図１
0003218018.tif 000002
【実用新案登録請求の範囲】
【請求項１】
路面発電コンポーネントの加熱制御装置であって、
前記路面発電コンポーネントに設けられる加熱装置と、
前記路面発電コンポーネントに設けられ、環境温度を検知する温度センサーと、
前記加熱装置、前記温度センサーにそれぞれ電気的に接続され、前記温度センサーにより検知された環境温度に応じて、前記加熱装置の前記路面発電コンポーネントに対する加熱を制御する制御手段と、を備えることを特徴とする加熱制御装置。
【請求項２】
前記路面発電コンポーネントに設けられており、前記制御手段に接続され、照度を検知する、照射センサーをさらに含み、前記制御手段は、前記照射センサーにより検知された照度に応じて、前記加熱装置の前記路面発電コンポーネントに対する加熱を制御することを特徴とする請求項１に記載の加熱制御装置。
【請求項３】
前記加熱装置と前記制御手段の間に設けられる電子制御式スイッチをさらに含む、ことを特徴とする請求項１または２に記載の加熱制御装置。
【請求項４】
前記加熱装置は、金属電熱線であることを特徴とする請求項１または２に記載の加熱制御装置。
【請求項５】
前記金属電熱線は、タングステン線またはコンスタンタン線であることを特徴とする請求項４に記載の加熱制御装置。
【請求項６】
前記加熱装置は、導電発熱フィルムであることを特徴とする請求項１または２に記載の加熱制御装置。
【請求項７】
前記加熱装置は、熱抵抗であることを特徴とする請求項１または２に記載の加熱制御装置。
【考案の詳細な説明】
【技術分野】
【０００１】
本願は、太陽光発電技術に関し、特に、路面発電コンポーネントの加熱制御装置に関する。
【背景技術】
【０００２】
新エネルギー技術が継続的に発展していることに伴って、分散型の太陽光発電は人々により便利なエネルギーを供給する。太陽エネルギーの固有特性に鑑みると、場所キャリアとして、分散式の太陽光発電は一定の平面または立面の空間を必要とする。
【０００３】
現在、交通分野において、大量の照明、モニタ、指示などのセットの電気施設を利用しているため、電力の需要が著しく高い。セットの電気施設を配置した屋上外に、また多い箇所に太陽光発電システムを取り付けることができる。例えば、公園、歩道、ウォーキングストリートの路面に太陽光発電を利用することができる。その上に、太陽エネルギーにより発電する路面発電コンポーネントを敷設することによって、景観施設、照明、モニタ、情報アラートなどのセットの電気施設に電力を供給することができる。
【考案の概要】
【考案が解決しようとする課題】
【０００４】
緯度が比較的高い地域において、冬の路面は常に雪や霜が積もるため、路面発電コンポーネントの性能を低減させ、ひいては正常な発電ができない。よって、路面発電コンポーネントに対して加熱し、有効的な制御を実施する必要がある。
【課題を解決するための手段】
【０００５】
本願は、路面発電コンポーネントに対して加熱し、有効的な制御を実施する、路面発電コンポーネントの加熱制御装置を提供することを目的とする。
【０００６】
本願に提供される路面発電コンポーネントの加熱制御装置は、
前記路面発電コンポーネントに設けられる加熱装置と、
前記路面発電コンポーネントに設けられ、環境温度を検知する温度センサーと、
前記加熱装置、前記温度センサーにそれぞれ電気的に接続され、前記温度センサーにより検知された環境温度に応じて、前記加熱装置の前記路面発電コンポーネントに対する加熱を制御する制御手段と、を備える。
【０００７】
好ましくは、前記路面発電コンポーネントに設けられており、前記制御手段に接続され、照度を検知する照射センサーをさらに含み、
前記制御手段は、前記照射センサーにより検知された照度に応じて、前記加熱装置の前記路面発電コンポーネントに対する加熱を制御する。
【０００８】
好ましくは、前記加熱装置と前記制御手段の間に設けられる電子制御式スイッチを含む。
【０００９】
好ましくは、前記加熱装置は金属電熱線である。
【００１０】
好ましくは、前記金属電熱線はタングステン線またはコンスタンタン線である。
【００１１】
好ましくは、前記加熱装置は導電発熱フィルムである。
【００１２】
好ましくは、前記加熱装置は熱抵抗である。
【考案の効果】
【００１３】
本願により提供される路面発電コンポーネントの加熱制御装置は、温度センサーを設け環境温度を検知し、制御手段を設けることによって、環境温度に応じて、加熱装置の路面発電コンポーネントに対する加熱を制御する。これによって、即時・効果的に路面発電コンポーネントにおける氷雪を融解させ、路面発電コンポーネントの光吸収率を保証し、さらに発電効率を保証する。
【図面の簡単な説明】
【００１４】
本考案の実施例または従来の技術における技術案をより明確に説明するために、以下、実施例または従来技術の説明に必要な図面に対して簡単に紹介する。下記の図面は本考案のいくつかの実施例であり、当業者にとって、創造的な労働を費やさないことを前提に、これらの図面に応じて、ほかの図面を獲得できることは明確である。
【図１】本願の実施例に提供される路面発電コンポーネントの加熱制御装置の構造ブロック図である。
【図２】路面発電コンポーネントの構造の模式図である。
【図３】図２におけるＡ箇所の拡大図である。
【考案を実施するための形態】
【００１５】
本願は、２０１７年０７月０６日に中国特許庁に提出された、中国特許出願第２０１７２０８１６７２６.１号「路面発電コンポーネントの加熱制御装置」に基づく優先権を主張し、その全ての内容は援用されることによって、本願に取り入れられている。
【００１６】
以下、本考案の実施例を詳しく説明する。前記実施例の例は図面に示され、同じまたは類似する記号は、一貫して同じまたは類似する素子、或いは同じまたは類似する機能を有する素子を示す。図面を参照しながら説明される以下の実施例は例示であり、本願を限定することがなく、本願を解釈するものである。
【００１７】
図１は、本願の実施例に提供される、路面発電コンポーネントの加熱制御装置の構造ブロック図である。
【００１８】
図１に示すように、本願の実施例に提供される、路面発電コンポーネントの加熱制御装置は、加熱装置１、温度センサー２及び制御手段３を備え、制御手段３はそれぞれ加熱装置１、温度センサー２に接続される。
【００１９】
加熱装置１は路面発電コンポーネント４に設けられる。図２は、路面発電コンポーネントの構造の模式図であり、図３は、図２におけるＡ箇所の拡大図である。図２及び図３に示すように、路面発電コンポーネント４は、ガラス層１００、太陽電池チップ２００及び基板３００を含む。太陽電池チップ２００は、基板３００の上またはガラス層１００の下方に敷設される。ガラス層１００は、シート状の接着層１３０により固定接続される上層ガラス１１０と下層ガラス１２０を含む。太陽電池チップ２００は下層ガラス１２０の下方に設けられる。加熱装置１は路面発電コンポーネント４に設けられ、具体的に、図２及び図３に示すように、基板３００の下方に設けられる。基板３００は熱伝導材質で構成され、熱をコンポーネントの内部に伝達することによって、路面発電コンポーネント４上の氷雪を融解させる。
【００２０】
温度センサー２は路面発電コンポーネント４に設けられ環境温度を検知する。制御手段３は、それぞれ加熱装置１と温度センサー２に電気的に接続され、温度センサー２により検知された環境温度に応じて、加熱装置１の路面発電コンポーネント４に対する加熱を制御する。温度センサー２は空気の温度を検知し、ガラス層１００の表面の温度も直接的に検知することができ、実際の需要に応じて具体的に設定してもよい。検知された環境温度が低すぎる場合、ガラス層１００の表面には結氷が生じやすい。この際、制御手段３は加熱装置１が加熱するように制御することによって、路面発電コンポーネント４上の氷雪を融解させる。
【００２１】
好ましくは、当該加熱制御装置は、路面発電コンポーネント４に設けられ、具体的にガラス層１００に直接的に設けられ、ガラス層１００の照度を直接に検知する照射センサー５をさらに含む。照射センサー５は、ブラケットなどの装置を介して、路面発電コンポーネント４の他の部位に設けられ、コンポーネントの付近の照度を検知することもできる。照射センサー５はさらに制御手段３に電気的に接続され、前記制御手段３は、照射センサー５により検知された照度に応じて、加熱装置１の路面発電コンポーネント４に対する加熱を制御する。
【００２２】
なお、当該加熱制御装置は、加熱装置１と制御手段３の間に設けられる電子制御式スイッチ６をさらに含む。電子制御式スイッチ６のオンとオフにより、加熱装置１の停止及び作動を制御する。
【００２３】
加熱装置１は複数の方式により実現され、金属の電熱線であってもよく、好ましくは、タングステン線或いはコンスタンタン線である。加熱装置１は導電発熱フィルム或いは熱抵抗であってもよい。加熱装置１は具体的な形式に応じて、それをガラス層１００または基板３００に設けることができる。
【００２４】
本願の実施例に提供される路面発電コンポーネント４の加熱制御装置は、温度センサー２を設けて環境温度を検知し、制御手段３を設けることによって、環境温度に応じて、加熱装置１の路面発電コンポーネント４に対する加熱を制御する。これによって、即時・効果的に路面発電コンポーネント４上の氷雪を融解させ、路面発電コンポーネント４の光吸収率を保証し、さらに発電効率を保証する。
【００２５】
以上、図示されている実施例に基づいて、本願の構造、特徴及び作用効果を詳しく説明した。以上の説明は、本願のより良い実施例であり、図面に示される内容は実施範囲を限定しない。本願の思想に応じてなされた変更または修正が、同等に変化された等価の実施例であって、明細書及び図示にカバーされる精神を超えていない場合、いずれも本願の保護範囲内に属する。
【符号の説明】
【００２６】
１  加熱装置
２  温度センサー
３  制御手段
４  路面発電コンポーネント
５  照射センサー
６  電子制御式スイッチ
１００  ガラス層
１１０  上層ガラス
１２０  下層ガラス
１３０  シート状の接着層
２００  太陽電池チップ
３００  基板
【図１】
0003218018.tif 000003
【図２】
0003218018.tif 000004
【図３】
0003218018.tif 000005